(57)【特許請求の範囲】
【請求項１】
ＴＶ番組視聴に係るユーザの反応を管理する視聴反応管理サーバと、インターネットを介し前記視聴反応管理サーバに接続されたＴＶ放送を受信可能な端末とを含むシステムであって、
前記端末は、
ユーザが視聴している前記ＴＶ放送に係るＴＶ番組の情報を前記視聴反応管理サーバに送信する番組情報送信手段と、
ユーザが視聴している前記ＴＶ番組を視聴時の感嘆度を入力する感嘆度入力手段と、
前記入力された感嘆度に係る情報を前記視聴反応管理サーバに送信する感嘆データ送信手段と、
ユーザが視聴している前記ＴＶ番組の視聴に係る反響音データの送信要求を前記視聴反応管理サーバに所定の時間間隔で送信する反響音データ要求送信手段と、
前記視聴反応管理サーバから反響音データを受信する反響音データ受信手段と、
前記受信した反響音データに基づいて音声を出力する反響音出力手段と、
を備え、
前記視聴反応管理サーバは、
前記端末から送信された前記ＴＶ番組の情報を受信する番組情報受取手段と、
前記端末から送信された前記感嘆度に係る情報を受信する感嘆データ受取手段と、
前記感嘆データ受取手段で受信した感嘆度に係る情報を前記番組情報受取手段により受信したＴＶ番組ごと、感嘆の種類ごとに、前記感嘆度に係る情報を入力したユーザの数を、前記感嘆度に係る情報を入力した時刻からの経過時間に応じて重みをつけて集計する感嘆データ集計手段と、
前記端末から送信された反響音データの送信要求を受信する反響音データ要求受取手段と、
前記反響音データ要求受取手段により受信した反響音データの送信要求に応じて、前記感嘆データ集計手段による集計結果に基づいて反響音データを決定する反響音データ決定手段と、
前記反響音データ決定手段により決定した反響音データを前記端末に送信する反響音データ出力手段と、
を備え、
前記反響音データ決定手段による反響音データは、感嘆の種類ごとに集計結果と予め定められた閾値とを比較し、予め定められた閾値を超えている感嘆の種類に対応する反響音データを合成し、予め定められた閾値以下である感嘆の種類に対応する反響音データは合成の対象とせず、
前記反響音データ決定手段による反響音データの種類と音量との決定は、感嘆の種類に応じて予め作成した基本形の反響音データに対して、音量に応じて加工すること、
を特徴とする視聴反応共有システム。
【請求項２】
前記ＴＶ放送はディジタル放送であることを特徴とする請求項１に記載の視聴反応共有システム。
【請求項３】
前記感嘆度入力手段により行われる感嘆度の入力は、感嘆の種類と程度を指定して行われることを特徴とする請求項１から請求項２のいずれかに記載の視聴反応共有システム。
【請求項４】
前記感嘆データ集計手段は、前記感嘆度に係る情報を該感嘆の種類と程度とに応じて集計し、
前記反響音データ決定手段は、前記感嘆データ集計手段による集計結果に基づいて反響音データの種類と音量とを決定することを特徴とする請求項３に記載の視聴反応共有システム。
【請求項５】
ＴＶ番組視聴に係るユーザの反応を管理する視聴反応管理サーバと、インターネットを介し前記視聴反応管理サーバに接続されたＴＶ放送を受信可能な端末とにより行う方法であって、
前記端末が、ユーザが視聴している前記ＴＶ放送に係るＴＶ番組の情報を前記視聴反応管理サーバに送信する番組情報送信ステップと、
前記端末が、ユーザが視聴している前記ＴＶ番組を視聴時の感嘆度の入力を受け付ける感嘆度入力ステップと、
前記端末が、前記入力された感嘆度に係る情報を前記視聴反応管理サーバに送信する感嘆データ送信ステップと、
前記端末が、ユーザが視聴している前記ＴＶ番組の視聴に係る反響音データの送信要求を前記視聴反応管理サーバに所定の時間間隔で送信する反響音データ要求ステップと、
前記端末が、前記視聴反応管理サーバから反響音データを受信する反響音データ受信ステップと、
前記端末が、前記受信した反響音データに基づいて音声として出力する反響音出力ステップと、
前記視聴反応管理サーバが、前記端末から送信された前記ＴＶ番組の情報を受信する番組情報受信ステップと、
前記視聴反応管理サーバが、前記端末から送信された前記感嘆度に係る情報を受信する感嘆データ受信ステップと、
前記視聴反応管理サーバが、前記受信した感嘆度に係る情報を前記受信したＴＶ番組ごと、感嘆の種類ごとに、前記感嘆度に係る情報を入力したユーザの数を、前記感嘆度に係る情報を入力した時刻からの経過時間に応じて重みをつけて集計する感嘆データ集計ステップと、
前記視聴反応管理サーバが、前記端末から送信された反響音データの送信要求を受信する反響音データ要求受信ステップと、
前記視聴反応管理サーバが、前記反響音データの送信要求に応じて、前記集計された結果に基づいて反響音データを決定する反響音データ決定ステップと、
前記視聴反応管理サーバが、前記決定した反響音データを前記端末に送信する反響音データ送信ステップと、
を備え、
前記反響音データ決定ステップによる反響音データは、感嘆の種類ごとに集計結果と予め定められた閾値とを比較し、予め定められた閾値を超えている感嘆の種類に対応する反響音データを合成し、予め定められた閾値以下である感嘆の種類に対応する反響音データは合成の対象とせず、
前記反響音データ決定ステップによる反響音データの種類と音量との決定は、感嘆の種類に応じて予め作成した基本形の反響音データに対して、音量に応じて加工すること、
を特徴とする視聴反応共有方法。
【請求項６】
ＴＶ番組の視聴に係るユーザの反応を管理する視聴反応管理サーバであって、
前記ＴＶ番組の情報を受け取る番組情報受取手段と、
前記ＴＶ番組の視聴に係るユーザの感嘆度に係る情報の入力を受ける感嘆データ受取手段と、
前記感嘆データ受取手段で入力を受けた感嘆度に係る情報を前記番組情報受取手段により入力を受けたＴＶ番組ごと、感嘆の種類ごとに、前記感嘆度に係る情報を入力したユーザの数を、前記感嘆度に係る情報を入力した時刻からの経過時間に応じて重みをつけて集計する感嘆データ集計手段と、
前記感嘆データ集計手段による集計結果に基づいて反響音データを決定する反響音データ決定手段と、
前記反響音データ決定手段により決定した反響音データを出力する反響音データ出力手段と、
を備え、
前記反響音データ決定手段による反響音データは、感嘆の種類ごとに集計結果と予め定められた閾値とを比較し、予め定められた閾値を超えている感嘆の種類に対応する反響音データを合成し、予め定められた閾値以下である感嘆の種類に対応する反響音データは合成の対象とせず、
前記反響音データ決定手段による反響音データの種類と音量との決定は、感嘆の種類に応じて予め作成した基本形の反響音データに対して、音量に応じて加工すること、
を特徴とする視聴反応管理サーバ。
【請求項７】
前記感嘆データ受取手段により入力を受ける感嘆度に係る情報は、感嘆の種類と程度を含むものであることを特徴とする請求項６に記載の視聴反応管理サーバ。
【発明の詳細な説明】
【技術分野】
【０００１】
本発明は、視聴反応共有システム、視聴反応管理サーバ及び視聴反応共有方法に関する。
【背景技術】
【０００２】
近年、地上波ディジタル放送サービスがパーソナルコンピュータ（以下、パソコンという）で視聴できる技術が提供されている。このとき、パソコンはディジタル放送受信機として機能する。ディジタル放送受信機において、当該ディジタル放送の受信中の番組の番組番号等の受信情報を記憶部に記憶する仕組みが既に開示されている（例えば、特許文献１）。
【０００３】
一方、録画された動画をサーバから再生する際に、視聴の評価を投稿する仕組みが実用化されている（例えば、非特許文献１）。
【特許文献１】特開平１１−３０８５８０号公報
【非特許文献１】グフフ動画（＠ｎｉｆｔｙ），ｈｔｔｐ：／／ｇｕｆｕｆｕ．ｎｉｆｔｙ．ｃｏｍ／
【発明の開示】
【発明が解決しようとする課題】
【０００４】
パソコンでＴＶ番組を視聴する機会が増加したことに伴い、パソコンをディジタル放送受信機として使用する際、パソコンの有する情報共有機能を活かし、ＴＶ番組視聴時の感動を共有することができれば、通常は個人で楽しむＴＶ番組を、他の大勢の人の反響を感じながら視聴することができる。そして、この反響を音声により出力すれば、ＴＶ番組自体で放送される音声等とは別の臨場感を味わうことができる。
【０００５】
そこで、本発明は、ＴＶ番組の視聴時の反応データを収集して、反応結果に応じて反響音データの種類と音量を決め、当該ＴＶ番組を視聴するユーザに対して送信することにより、個々のユーザに他の視聴者の反響を伝える技術を提供することを目的とする。
【課題を解決するための手段】
【０００６】
本発明者は、ＴＶ番組を視聴するユーザが感じた反応すなわち感嘆の種類とその程度を、インターネットを通じて収集し集計することにより、集計結果に応じた音声データを即時にユーザに送信する仕組みを見出し、本発明を完成するに至った。本発明は、具体的には次のようなものを提供する。
【０００７】
（１）ＴＶ番組視聴に係るユーザの反応を管理する視聴反応管理サーバと、インターネットを介し前記視聴反応管理サーバに接続されたＴＶ放送を受信可能な端末とを含むシステムであって、
前記端末は、
ユーザが視聴している前記ＴＶ放送に係るＴＶ番組の情報を前記視聴反応管理サーバに送信する番組情報送信手段と、
ユーザが視聴している前記ＴＶ番組を視聴時の感嘆度を入力する感嘆度入力手段と、
前記入力された感嘆度に係る情報を前記視聴反応管理サーバに送信する感嘆データ送信手段と、
ユーザが視聴している前記ＴＶ番組の視聴に係る反響音データの送信要求を前記視聴反応管理サーバに所定の時間間隔で送信する反響音データ要求送信手段と、
前記視聴反応管理サーバから反響音データを受信する反響音データ受信手段と、
前記受信した反響音データに基づいて音声を出力する反響音出力手段と、
を備え、
前記視聴反応管理サーバは、
前記端末から送信された前記ＴＶ番組の情報を受信する番組情報受取手段と、
前記端末から送信された前記感嘆度に係る情報を受信する感嘆データ受取手段と、
前記感嘆データ受取手段で受信した感嘆度に係る情報を前記番組情報受取手段により受信したＴＶ番組ごと、感嘆の種類ごとに、前記感嘆度に係る情報を入力したユーザの数を、前記感嘆度に係る情報を入力した時刻からの経過時間に応じて重みをつけて集計する感嘆データ集計手段と、
前記端末から送信された反響音データの送信要求を受信する反響音データ要求受取手段と、
前記反響音データ要求受取手段により受信した反響音データの送信要求に応じて、前記感嘆データ集計手段による集計結果に基づいて反響音データを決定する反響音データ決定手段と、
前記反響音データ決定手段により決定した反響音データを前記端末に送信する反響音データ出力手段と、
を備え、
前記反響音データ決定手段による反響音データは、感嘆の種類ごとに集計結果と予め定められた閾値とを比較し、予め定められた閾値を超えている感嘆の種類に対応する反響音データを合成し、予め定められた閾値以下である感嘆の種類に対応する反響音データは合成の対象とせず、
前記反響音データ決定手段による反響音データの種類と音量との決定は、感嘆の種類に応じて予め作成した基本形の反響音データに対して、音量に応じて加工すること、
を特徴とする視聴反応共有システム。
【０００８】
本発明のこのような構成によれば、ＴＶ番組を視聴する者が視聴時に感じた感嘆度をインターネットを通じて収集して集計し、集計結果に応じた反響音データを視聴者に伝えることができるので、視聴者はＴＶ番組を視聴すると同時に他の視聴者の反響を音声で聞くことができ、臨場感や一体感を味わうことができる。
【０００９】
（２）前記ＴＶ放送はディジタル放送であることを特徴とする（１）に記載の視聴反応共有システム。
【００１０】
本発明のこのような構成によれば、（１）の発明を、地上波ディジタル放送やＢＳディジタル放送によるＴＶ番組の視聴に利用することができるので、現在既に利用可能なＴＶ放送について実施することができる。また、今後新たなデジタル放送が出現しても本発明を利用することができる。
【００１３】
（３）前記感嘆度入力手段により行われる感嘆度の入力は、感嘆の種類と程度を指定して行われることを特徴とする（１）から（２）のいずれかに記載の視聴反応共有システム。
【００１４】
本発明のこのような構成によれば、視聴時に感じた感嘆の種類と程度を指定して入力することができるので、様々な感嘆をその大きさとともに入力することができ、視聴者の気持ちに合致する情報の入力を行うことができる。
【００１５】
（４）前記感嘆データ集計手段は、前記感嘆度に係る情報を該感嘆の種類と程度とに応じて集計し、前記反響音データ決定手段は、前記感嘆データ集計手段による集計結果に基づいて反響音データの種類と音量とを決定することを特徴とする（３）に記載の視聴反応共有システム。
【００１６】
本発明のこのような構成によれば、集計された感嘆の種類により反響音の種類を、感嘆の程度により反響音の音量をそれぞれ決定するので、多数の人の感嘆の程度が大きければ大きな音の反響音となる等、人間の感性に合った反響音とすることができる。
【００２５】
（５）ＴＶ番組視聴に係るユーザの反応を管理する視聴反応管理サーバと、インターネットを介し前記視聴反応管理サーバに接続されたＴＶ放送を受信可能な端末とにより行う方法であって、
前記端末が、ユーザが視聴している前記ＴＶ放送に係るＴＶ番組の情報を前記視聴反応管理サーバに送信する番組情報送信ステップと、
前記端末が、ユーザが視聴している前記ＴＶ番組を視聴時の感嘆度の入力を受け付ける感嘆度入力ステップと、
前記端末が、前記入力された感嘆度に係る情報を前記視聴反応管理サーバに送信する感嘆データ送信ステップと、
前記端末が、ユーザが視聴している前記ＴＶ番組の視聴に係る反響音データの送信要求を前記視聴反応管理サーバに所定の時間間隔で送信する反響音データ要求ステップと、
前記端末が、前記視聴反応管理サーバから反響音データを受信する反響音データ受信ステップと、
前記端末が、前記受信した反響音データに基づいて音声として出力する反響音出力ステップと、
前記視聴反応管理サーバが、前記端末から送信された前記ＴＶ番組の情報を受信する番組情報受信ステップと、
前記視聴反応管理サーバが、前記端末から送信された前記感嘆度に係る情報を受信する感嘆データ受信ステップと、
前記視聴反応管理サーバが、前記受信した感嘆度に係る情報を前記受信したＴＶ番組ごと、感嘆の種類ごとに、前記感嘆度に係る情報を入力したユーザの数を、前記感嘆度に係る情報を入力した時刻からの経過時間に応じて重みをつけて集計する感嘆データ集計ステップと、
前記視聴反応管理サーバが、前記端末から送信された反響音データの送信要求を受信する反響音データ要求受信ステップと、
前記視聴反応管理サーバが、前記反響音データの送信要求に応じて、前記集計された結果に基づいて反響音データを決定する反響音データ決定ステップと、
前記視聴反応管理サーバが、前記決定した反響音データを前記端末に送信する反響音データ送信ステップと、
を備え、
前記反響音データ決定ステップによる反響音データは、感嘆の種類ごとに集計結果と予め定められた閾値とを比較し、予め定められた閾値を超えている感嘆の種類に対応する反響音データを合成し、予め定められた閾値以下である感嘆の種類に対応する反響音データは合成の対象とせず、
前記反響音データ決定ステップによる反響音データの種類と音量との決定は、感嘆の種類に応じて予め作成した基本形の反響音データに対して、音量に応じて加工すること、
を特徴とする視聴反応共有方法。
【００２６】
本発明のこのような構成によれば、（１）に記載の発明を端末とサーバを用いて実現するので、（１）と同様の効果を奏することができる。
【００２７】
（６）ＴＶ番組の視聴に係るユーザの反応を管理する視聴反応管理サーバであって、
前記ＴＶ番組の情報を受け取る番組情報受取手段と、
前記ＴＶ番組の視聴に係るユーザの感嘆度に係る情報の入力を受ける感嘆データ受取手段と、
前記感嘆データ受取手段で入力を受けた感嘆度に係る情報を前記番組情報受取手段により入力を受けたＴＶ番組ごと、感嘆の種類ごとに、前記感嘆度に係る情報を入力したユーザの数を、前記感嘆度に係る情報を入力した時刻からの経過時間に応じて重みをつけて集計する感嘆データ集計手段と、
前記感嘆データ集計手段による集計結果に基づいて反響音データを決定する反響音データ決定手段と、
前記反響音データ決定手段により決定した反響音データを出力する反響音データ出力手段と、
を備え、
前記反響音データ決定手段による反響音データは、感嘆の種類ごとに集計結果と予め定められた閾値とを比較し、予め定められた閾値を超えている感嘆の種類に対応する反響音データを合成し、予め定められた閾値以下である感嘆の種類に対応する反響音データは合成の対象とせず、
前記反響音データ決定手段による反響音データの種類と音量との決定は、感嘆の種類に応じて予め作成した基本形の反響音データに対して、音量に応じて加工すること、
を特徴とする視聴反応管理サーバ。
【００２８】
本発明のこのような構成によれば、サーバにより（１）と同様の効果を奏することができる。
【００２９】
（７）前記感嘆データ受取手段により入力を受ける感嘆度に係る情報は、感嘆の種類と程度を含むものであることを特徴とする（６）に記載の視聴反応管理サーバ。
【００３０】
本発明のこのような構成によれば、サーバにより（３）と同様の効果を奏することができる。
【発明の効果】
【００３７】
この発明によれば、同じＴＶ番組を同時に視聴する他の視聴者の反響を音声で聞くことができるので、単にＴＶ番組を視聴するだけでは得られない臨場感や一体感を得ることができる。
【発明を実施するための最良の形態】
【００３８】
以下、本発明を実施するための最良の形態について図を参照しながら説明する。なお、これはあくまでも一例であって、本発明の技術的範囲はこれに限られるものではない。
【００３９】
（第１の実施形態）
［全体構成］
図１は、視聴反応共有システムの全体構成を示す図である。視聴反応共有システムは、視聴反応管理サーバ１と、ユーザ端末２０と、これらを接続するためのインターネット３０とから構成される。なお、視聴反応共有システムには含まれないが、ＴＶ番組を放送する放送局４０も図１には示している。
【００４０】
視聴反応管理サーバ１は、ユーザ端末２０から送信されるＴＶ放送に係るＴＶ番組の情報を受信する番組情報受取手段２と、同じくユーザ端末２０から送信される感嘆度に係る情報を受信する感嘆データ受取手段３と、感嘆データ受取手段３で受信した感嘆度に係る情報を番組情報受取手段２により受信したＴＶ番組の情報に基づいて集計する感嘆データ集計手段４と、ユーザ端末２０から送信される反響音データの送信要求を受信する反響音データ要求受取手段５と、反響音データ要求受取手段５により受信した反響音データの送信要求に応じて、感嘆データ集計手段４による集計結果に基づいて反響音を決定する反響音決定手段６と、決定した反響音に係る反響音データをユーザ端末２０に送信する反響音データ出力手段７とを備える。
【００４１】
ユーザ端末２０は、インターネット３０を介して視聴反応管理サーバ１に接続されており、放送局４０から放送される地上波ディジタル放送を受信するディジタル放送受信手段２１と、受信した地上波ディジタル放送のＴＶ番組を出力するＴＶ番組出力手段２２と、視聴するＴＶ番組の情報を前記視聴反応管理サーバに送信する番組情報送信手段２３と、ＴＶ番組を視聴時の感嘆度の入力を受け付ける感嘆度入力手段２４と、感嘆度入力手段２４で入力された感嘆度に係る情報を前記視聴反応管理サーバ１に送信する感嘆データ送信手段２５と、ＴＶ番組の視聴に係る反響音データの送信要求を視聴反応管理サーバ１に送信する反響音データ要求送信手段２６と、視聴反応管理サーバ１から反響音データを受信する反響音データ受信手段２７と、反響音データ受信手段２７で受信した反響音データの音声を出力する反響音出力手段２８とを備える。
【００４２】
［視聴反応管理サーバのハードウェア構成図］
図２は、本実施形態に係る視聴反応管理サーバ１のハードウェア構成を示す図である。視聴反応管理サーバ１は、制御部６０を構成するＣＰＵ（Ｃｅｎｔｒａｌ  Ｐｒｏｃｅｓｓｉｎｇ  Ｕｎｉｔ）６１（マルチプロセッサ構成ではＣＰＵ６２等複数のＣＰＵが追加されてもよい）、バスライン５０、通信Ｉ／Ｆ（Ｉ／Ｆ：インターフェイス）６３、メインメモリ６４、ＢＩＯＳ（Ｂａｓｉｃ  Ｉｎｐｕｔ  Ｏｕｔｐｕｔ  Ｓｙｓｔｅｍ）６５、表示装置６６、Ｉ／Ｏコントローラ６７、並びにキーボード及びマウス等の入力装置６８を備える。
【００４３】
制御部６０は、視聴反応管理サーバ１を統括的に制御する部分であり、ハードディスク７０（後述）に記憶された各種プログラムを適宜読み出して実行することにより、上述したハードウェアと協働し、本発明に係る各種機能を実現している。
【００４４】
通信Ｉ／Ｆ６３は、視聴反応管理サーバ１が、インターネット３０（図１）を介してユーザ端末２０（図１）から各種の情報を受け取ったり、またユーザ端末２０へ反響音データを送信したりする場合のネットワーク・アダプタである。通信Ｉ／Ｆ６３は、モデム、ケーブル・モデム及びイーサネット（登録商標）・アダプタを含んでよい。
【００４５】
ＢＩＯＳ６５は、視聴反応管理サーバ１の起動時にＣＰＵ６１が実行するブートプログラムや、視聴反応管理サーバ１のハードウェアに依存するプログラム等を記録する。
【００４６】
表示装置６６は、ブラウン管表示装置（ＣＲＴ）、液晶表示装置（ＬＣＤ）等のディスプレイ装置を含む。
【００４７】
Ｉ／Ｏコントローラ６７には、ハードディスク７０、及び半導体メモリ７１等の記憶装置７２を接続することができる。
【００４８】
入力装置６８は、視聴反応管理サーバ１の管理者による入力の受け付けを行うものである。
【００４９】
ハードディスク７０は、本ハードウェアを視聴反応管理サーバ１として機能させるための各種プログラム、本発明の機能を実行するプログラム及び後述するテーブルを記憶する。なお、視聴反応管理サーバ１は、外部に別途設けたハードディスク（図示せず）を外部記憶装置として利用することもできる。
【００５０】
以上、視聴反応管理サーバ１のハードウェア構成について主に説明したが、コンピュータに、プログラムをインストールして、そのコンピュータを視聴反応管理サーバ１として動作させることにより上記で説明した機能を実現することもできる。したがって、本発明において一実施形態として説明した視聴反応管理サーバ１により実現される機能は、上述の方法を当該コンピュータにより実行することによって、あるいは、上述のプログラムを当該コンピュータに導入して実行することによっても実現可能である。
【００５１】
なお、本発明でいうコンピュータとは、記憶装置、制御部等を備えた情報処理装置をいい、視聴反応管理サーバ１は、記憶装置７２、制御部６０等を備えた情報処理装置により構成され、この情報処理装置は、本発明のコンピュータの概念に含まれる。
【００５２】
番組情報受取手段２、感嘆データ受取手段３、感嘆データ集計手段４、反響音データ要求受取手段５、反響音決定手段６、及び反響音データ出力手段７には主に制御部６０が主として対応する。  
【００５３】
以上、視聴反応管理サーバ１のハードウェア構成について説明したが、本発明において、ユーザ端末２０も同様のハードウェア構成により実現可能である。
【００５４】
［ユーザ端末表示画面］
図３は、ユーザ端末表示画面を示す図である。ユーザ端末表示画面８０には、ＴＶ番組画面８１とＴＶ番組感嘆度入力画面８２が表示されている。ＴＶ番組画面８１には地上波ディジタル放送されたＴＶ番組が出力されている。地上波ディジタル放送を受信するためのチューナーを備えたユーザ端末２０で所定のＴＶ番組の受信操作をすることにより表示可能である。
【００５５】
ＴＶ番組感嘆度入力画面８２には、視聴時の感嘆度に応じて、感嘆の種類と程度をマウス操作で入力できるようになっている。図３においては、「拍手」、「スゲェ」、「ヤバイ」、「笑い」の４種類の感嘆が入力可能となっている。各感嘆については、感嘆の程度が入力可能となっており、スライド入力部９４をマウスポインタ９５で操作することにより程度１〜５の５段階の入力が可能である。程度１は小、程度５は大に対応している。ユーザは、スライド入力部９４で好みの程度を選択し、その後「拍手」入力ボタン９０等のボタンをクリックすることで、感嘆度の入力を行う。なお、感嘆の種類は上記４種類に限られるものではなく、また感嘆の程度も１〜５の５段階に限られるものではない。
【００５６】
ＴＶ番組感嘆度入力画面８２は、ユーザが視聴反応管理サーバ１に設けられた本サービスを提供するＷｅｂサイトにアクセスすることによりユーザ端末２０に表示される。その際、ログイン手続を設けてもよいし、また、単に当該Ｗｅｂサイトにアクセスするだけで表示されるようにしてもよい。
【００５７】
［感嘆データ集計テーブル］
図４は、感嘆データ集計テーブルを示す図である。感嘆データ集計テーブルは、ＴＶ番組ごとに作成され、ユーザ端末２０から送られた感嘆データを、種類別及び程度別に集計した結果が示されている。
【００５８】
図４（ａ）は、感嘆データの集計結果を人数で表示した感嘆データ集計テーブルを示す図である。これによると、「拍手」を程度１で入力した人が４００人、程度２で入力した人が５００人いることがわかる。最も多い入力がったのは、「スゲェ」を程度３で入力した人で、全部で１，０００人いる。
【００５９】
図４（ｂ）は、感嘆データの集計結果を比率で表示した感嘆データ集計テーブルを示す図である。各人数を、全体の人数で割った比率を表示している。したがって、図４（ｂ）は図４（ａ）に基づいて生成可能である。感嘆の種類別に、最も入力の多かった程度（比率）を太枠で囲んである。この感嘆の種類の中で最も大きい程度の比率に基づいて反響音の決定を行う。
【００６０】
ここで、感嘆データ集計テーブル（図４（ａ））を集計する仕方について説明する。感嘆度の入力はユーザにより区々の時間に行われる。そして、ユーザはある場面である感嘆をしても、場面が変わればその感嘆が持続するとは限らない。そこで、ユーザが入力した感嘆の効果は一定の時間のみ有効なものとする。例えば、３秒とか５秒と設定することができる。
【００６１】
［感嘆度の入力］
図５は、ユーザの入力状況を示す図である。各ユーザについて、入力後、効果を認める一定時間（例えば、３秒間）を線分で示したものである。線分の左端が入力時点を表す。線分の右端を過ぎると効果は消滅する。したがって、集計される人数は、集計する時点によって異なる。最下欄に、それぞれの時間における集計人数の推移を示している。
【００６２】
図６は、ユーザの入力状況の記録を示す図である。各ユーザが入力した感嘆の種類と程度が、入力時間、ユーザ名とともに記録されている。なお、ユーザ名は特に記録する必要はない。ここでは、すべてのユーザの入力が記録されるので、集計する場合は、感嘆の種類と程度に分けて行う必要がある。
【００６３】
人数集計は、ユーザ端末２０から反響音データの送信要求を受信した時点で行う。この送信要求は各ユーザからそれぞれ行われるので、各ユーザによって集計結果は異なる。例えば、図５において、ユーザＡが感嘆度を入力してからユーザＢが感嘆度を入力するまでの間に反響音データの送信要求をしたユーザに対しては、集計された人数は２人となる。そして、ユーザＢが感嘆度を入力した直後に反響音データの送信要求をしたユーザに対しては、集計された人数は３人となる。感嘆の種類と程度に応じてこれらを集計すると感嘆データ集計テーブル（図４（ａ））を作成することができる。
【００６４】
なお、ここでは単に人数を集計するだけとしたが、例えば、感嘆度の入力時間からの経過時間に応じて重みをつけて集計するようにしてもよい。例えば、感嘆度の入力が行われた時点から５秒間で感嘆の効果が直線的に減少すると仮定し、ｔ秒経過後の人数換算値を次の式で表す。但し、ｔは、０以上５以下である。
【数１】
0005020838.tif 000002
【００６５】
このようにして集計すると、感嘆度の入力が行われた時間と、反響音データの送信要求がされた時間の差を考慮した人数を集計することができる。しかし、この人数換算値は、上記の方法に限られるものではなく、経過時間ｔの関数として計算できるものであればどのようなものであってもよい。適宜目的に合わせて関数を設定すればよい。
【００６６】
図７は、感嘆度の入力後の経過時間に応じた人数換算値の推移を示す図である。
【００６７】
［反響音ファイルテーブル］
図８は、反響音ファイルテーブルを示す図である。音声ファイルテーブルには、感嘆の種類と程度に応じて予め作成した反響音ファイルのファイル名が保有されている。ファイル名のみでなく、ファイルの場所を示す情報も一緒に保有するようにしてもよい。
【００６８】
［反響音データの合成］
図９は、反響音データを示す図である。図９（ａ）には反響音データＡ、図９（ｂ）には反響音データＢを示しており、図９（ｃ）には反響音データＡと反響音データＢを合成したものを示している。
【００６９】
例えば、反響音データは、感嘆データ集計テーブル（図４（ｂ））で、最も比率の高い感嘆の種類と程度に対応する反響音データを選択してもよいが、そのようにすると、図４（ｂ）の例では、「スゲェ」の程度３（１６．８％）に対応する反響音データが選択され「拍手」の程度３（１５．１％）については、ほぼ同程度の比率であるにもかかわらず、これに対応する反響音データは選択されない。そこで、このような場合、両方の反響音データを合成して、新たな反響音データを作成することもできる。図９は、そのような例を示したものである。
【００７０】
図９では２つの反響音データを単純に加算したが、集計された比率に応じて重みをつけて反響音データを加算するようにしてもよい。
【００７１】
［視聴反応共有システムの処理フロー］
図１０は、視聴反応共有システムの処理フローを示す図である。
【００７２】
最初に、ＴＶ番組の視聴について説明する。
【００７３】
Ｓ１：ユーザ端末２０で地上波ディジタル放送のＴＶ番組の視聴を開始する。ここでユーザ端末２０は、ディジタル放送受信手段２１及びＴＶ番組出力手段２２として機能する。
【００７４】
Ｓ２：番組の識別情報をユーザ端末２０内の記憶装置に記録する。例えば、ユーザ端末２０がパソコンであれば、クッキー等に記録することができる。視聴するＴＶ番組が変われば記録した番組の識別情報を更新する。
【００７５】
次に感嘆度の入力について説明する。
【００７６】
Ｓ３：ユーザ端末２０から視聴反応管理サーバ１にアクセスをする。具体的には、視聴反応管理サーバ１上にある本サービスを提供するＷｅｂサイトにアクセスをする。
【００７７】
Ｓ４：視聴反応管理サーバ１が、ユーザ端末２０に対してＴＶ番組感嘆度入力画面８２（図３）を送信する。
【００７８】
Ｓ５：ユーザ端末２０は、送信されたＴＶ番組感嘆度入力画面８２を表示する。こうすることにより、感嘆度の入力と、反響音の送信要求が可能となる。
【００７９】
Ｓ６：ユーザ端末２０は、ユーザからＴＶ番組視聴時の感嘆度についてＴＶ番組感嘆度入力画面８２から入力を受ける。ここでユーザ端末２０は、感嘆度入力手段２４として機能する。
【００８０】
Ｓ７：ユーザ端末２０は、記憶装置から現在視聴中のＴＶ番組の番組情報を読み出す。なお、この番組情報はチャンネル情報であってもよい。ＴＶ番組視聴時の感嘆を共有するための仕組みであるので即時性があり、チャンネルが特定されれば視聴中の番組も特定されるからである。したがって、本発明において番組情報はチャンネル情報を含むものとする。
【００８１】
Ｓ８：入力された感嘆度を表す感嘆データとともに視聴反応管理サーバ１に送信する。ここでユーザ端末２０は、番組情報送信手段２３及び感嘆データ送信手段２５として機能する。
【００８２】
Ｓ９：視聴反応管理サーバ１は、送信された番組情報と感嘆データとを受信する。ここで、視聴反応管理サーバ１は、番組情報受取手段２及び感嘆データ受取手段３として機能する。
【００８３】
Ｓ１０：視聴反応管理サーバ１は、受信した番組情報と感嘆データとを受信時間とともに記録する。
【００８４】
次に、反響音の再生について説明する。
【００８５】
Ｓ１１：ユーザ端末２０は、記憶装置から番組情報を読み出す。
【００８６】
Ｓ１２：ユーザ端末２０は、番組情報と反響音データの要求とを視聴反応管理サーバ１に送信する。Ｓ１１〜Ｓ１２の処理は、例えば、０．１秒等の一定のタイムインターバルで、自動的にユーザ端末２０で行われる。ここで、ユーザ端末２０は、番組情報送信手段２３及び反響音データ要求送信手段２６として機能する。番組情報はその都度記憶装置から読み出すのではなく、メモリー上に保持しておき、それを用いるようにしてもよい。
【００８７】
その場合、視聴するＴＶ番組が変われば、番組情報の記録のみならず、メモリー上に保持されている番組情報も更新する必要がある。また、例えば、１０秒に１回程度（０．１秒のタイムインターバルの場合は、１００回のタイムインターバルごとに）記憶装置から読み出してメモリー上に保持された番組情報をリフレッシュするようにしてもよい。そうすると記憶装置からの読出し回数が大幅に削減できると同時に、実用上もあまり問題を生じない。
【００８８】
Ｓ１３：視聴反応管理サーバ１は、ユーザ端末２０から送信された番組情報と反響音データの要求とを受信する。ここで、視聴反応管理サーバ１は、番組情報受取手段２及び反響音データ要求受取手段５として機能する。
【００８９】
Ｓ１４：視聴反応管理サーバ１は、受信した番組情報と反響音データの要求とに基づいて、記録した当該番組情報に係る感嘆データを読み出す。
【００９０】
Ｓ１５：視聴反応管理サーバ１は、読み出した感嘆データを集計する。ここで、視聴反応管理サーバ１は、感嘆データ集計手段４として機能する。
【００９１】
Ｓ１６：視聴反応管理サーバ１は、感嘆データの集計結果に基づいて反響音を決定する。ここで、視聴反応管理サーバ１は、反響音決定手段６として機能する。この決定は、予め作成した反響音データを選択することによってもよいし、それらを組み合わせて新たな反響音データを合成してもよい。
【００９２】
また、予め作成した複数の反響音データを組み合わせる場合、感嘆データの集計結果が一定の閾値を超えるものについて行うようにすることができる。例えば、各感嘆の種類において、最も比率の高い程度を選択し、それらのなかから５％を超えるものを選んで、対応する反響音を合成するようにする等である。
【００９３】
ＴＶ番組のある場面においても、多くの人は「拍手」を選択しても、「笑い」を選択する人もいる。その場合、「拍手」のみの反響音とするのか、「拍手」と「笑い」の合成した反響音とするのかは、比率が所定の閾値を超えているか否かで判断する。例えば、「笑い」の比率が５％を超えている場合には、「拍手」と「笑い」を合成し、５％以下の場合は「笑い」は合成の対象としないようにすることができる。いろいろな反響音が混在していることにより臨場感が増すからである。一定の閾値を設けるのは、すべての感嘆について反響音を合成すると、雑音に近づく可能性があると考えられるからである。
【００９４】
Ｓ１７：視聴反応管理サーバ１は、決定した反響音データをユーザ端末２０に送信する。ここで、視聴反応管理サーバ１は、反響音データ出力手段７として機能する。
【００９５】
Ｓ１８：ユーザ端末２０は、送信された反響音データを受信する。ここで、ユーザ端末２０は、反響音データ受信手段２７として機能する。
【００９６】
Ｓ１９：ユーザ端末２０は、反響音データに基づき反響音を出力する。この反響音は、ＴＶ番組の音声とは別のチャンネルから出力される。ここで、ユーザ端末２０は、反響音出力手段２８として機能する。
【００９７】
このようにすると、他のユーザの入力した感嘆度が即時に反映された反響音を、視聴者は聞くことができる。これによって、放送されるＴＶ番組の各場面に対応して、殆ど即時に他の大勢のユーザの反響を楽しむことができる。
【００９８】
（第２の実施形態）
第１の実施形態では、感嘆データの集計結果に基づき、各程度に対応して予め作成した反響音データを用いることとしたが、第２の実施形態では、感嘆の種類に応じて基本的な反響音データを作成しておき、程度に応じてそれを加工するようにする。
【００９９】
図１１は、反響音データの加工を示す図である。図１１（ａ）は、予め作成した、程度５に相当する基本形の反響音データを示す図である。図１１（ｂ）は、基本形に基づき、程度３に加工した反響音データを示す図である。同じ波形を保ちながら振幅のみが程度に応じて縮小されている。
【０１００】
このようにすることで、予め作成する反響音データの数を少なくすることができるうえ、入力する感嘆の程度も１〜５の離散値ではなく、任意の程度を入力することができる。
【０１０１】
また、第１の実施形態では、感嘆データの集計を、ユーザ端末からの反響音データ送信要求を受信してから行ったが、本実施形態では、サーバ側で、一定のタイムインターバルで集計をしておき、ユーザ端末から反響音データ送信要求を受信したとき、直近の集計結果を送信するようにしてもよい。このような方法にすれば、ユーザ端末からの反響音データ送信要求の件数が増えると、受信の都度集計するより、集計処理の回数が少なくて済むというメリットがある。
【０１０２】
本実施形態は、上記で説明した点以外は、第１の実施形態と同様である。
【０１０３】
（第３の実施形態）
第１及び第２の実施形態では感嘆度を入力するユーザ端末２０でＴＶ番組の視聴をすることを前提としたが、ＴＶ番組の視聴はユーザ端末２０とは異なるＴＶ受信機で行ってもよい。
【０１０４】
図１２は第３の実施形態に係る視聴反応共有システムの全体構成を示す図である。この場合、ＴＶ受信機４１で視聴する番組（またはチャンネル）をユーザ端末２０は知ることができない。そこで、感嘆度を入力する際、チャンネル情報（具体的にはチャンネル番号）も入力するようにする。そのため、番組情報入力手段２９が新たにユーザ端末２０に加わっている。ＴＶ番組の視聴は数１０分間以上続くのが普通なので、ユーザがこの視聴反応共有システムを利用するとき、画面上にチャンネルボタンを表示し、最初に視聴するチャンネルのボタンをクリックしておくことで、その後は感嘆度の入力のみで済むようにすることができる。チャンネル番号の代わりに番組番号等を入力するようにしてもよい。なお、この実施形態では、ＴＶ受信機４１はユーザ端末２０等と接続されておらず、視聴反応共有システムには含まれない。
【０１０５】
（変形形態）
上記で説明した実施形態に限定されず、デジタル放送におけるＴＶ受信機からの通信機能を活かし、ＴＶ受信機４１からユーザＩＤとともに番組情報を所定の管理サーバに送信し、一方、ユーザ端末２０からは番組情報に代わりユーザＩＤを視聴反応管理サーバ１に送信し、視聴反応管理サーバ１は、ユーザ端末２０から送信されたユーザＩＤをキーとして前記所定の管理サーバから番組情報を受け取るという形でもよい。この場合、視聴反応管理サーバ１は番組情報を受け取る先がユーザ端末２０ではなくなるが、依然、番組情報を受け取る番組情報受取手段２として機能することに変わりはない。したがって、そのような場合も本発明の権利範囲に属する。    
【０１０６】
以上、地上波ディジタル放送によるＴＶ番組の視聴を前提として説明したが、ＢＳディジタル放送であってもよい。放送されるＴＶ番組の番組情報が認識できるものであればよいからである。したがって、今後、新たなＴＶ放送方式が出現した場合も、同様に本発明の権利範囲に属する。
【０１０７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【０１０８】
【図１】第１の実施形態に係る視聴反応共有システムの全体構成を示す図である。
【図２】第１の実施形態に係る視聴反応管理サーバ１のハードウェア構成を示す図である。
【図３】第１の実施形態に係るユーザ端末表示画面を示す図である。
【図４】第１の実施形態に係る感嘆データ集計テーブルを示す図である。
【図５】第１の実施形態に係るユーザの入力状況を示す図である。
【図６】第１の実施形態に係るユーザの入力状況の記録を示す図である。
【図７】第１の実施形態に係る感嘆度の入力後の経過時間に応じた人数換算値の推移を示す図である。
【図８】第１の実施形態に係る反響音ファイルテーブルを示す図である。
【図９】第１の実施形態に係る反響音データを示す図である。
【図１０】第１の実施形態に係る視聴反応共有システムの処理フローを示す図である。
【図１１】第２の実施形態に係る反響音データの加工を示す図である。
【図１２】第３の実施形態に係る視聴反応共有システムの全体構成を示す図である。
【符号の説明】
【０１０９】
１    視聴反応管理サーバ
２０  ユーザ端末
３０  インターネット
４０  放送局
４１  ＴＶ受信機
５０  バスライン
６０  制御部
７２  記憶装置
８０  ユーザ端末表示画面
８１  ＴＶ番組画面
８２  ＴＶ番組感嘆度入力画面
９０  「拍手」入力ボタン
９１  「スゲェ」入力ボタン
９２  「ヤバイ」入力ボタン
９３  「笑い」入力ボタン
９４  スライド入力部  
【図１】
0005020838.tif 000003
【図２】
0005020838.tif 000004
【図３】
0005020838.tif 000005
【図４】
0005020838.tif 000006
【図５】
0005020838.tif 000007
【図６】
0005020838.tif 000008
【図７】
0005020838.tif 000009
【図８】
0005020838.tif 000010
【図９】
0005020838.tif 000011
【図１０】
0005020838.tif 000012
【図１１】
0005020838.tif 000013
【図１２】
0005020838.tif 000014